(57)【特許請求の範囲】
【請求項１】
支持している縫針を上下に移動させる針棒に近接し、上下に移動することが可能であり、しかも軸を中心として回転することが可能に支持されている糸通し軸と、
縫針の針穴に挿通することが可能な鉤部と、該鉤部を針穴に誘導するガイド部とを有し、前記糸通し軸を上下方向に移動及び該糸通し軸中心に回転させることが可能な操作体と一体として、前記糸通し軸の下端部に回転可能に装着された糸通しフックと、
前記糸通し軸の下降限界位置を規制する規制機構と、
前記糸通し軸の下降限界点近傍で前記鉤部が縫針の針穴に挿通するよう前記ガイド部を所定角度回動させる回動機構と
を備えるミシンの糸通し装置において、
前記操作体により前記糸通し軸を下降限界点近傍まで押下げ、該操作体を回転させることにより前記鉤部を縫針の針穴に挿通させた状態で、前記鉤部に引っ掛けた上糸を、前記鉤部よりも高い位置で所定の張力がかかるまで保持させる係止部材と、不要な上糸を切断することが可能な切断部材とを有する上糸係止部を備え、
該上糸係止部は、前記縫針の針穴の位置よりも、被縫製物を挿入する方向と反対側であって、被縫製物を押さえる布押さえを押下げる押下げレバーに設けてあることを特徴とするミシンの糸通し装置。
【請求項２】
前記上糸係止部は、上糸を誘導する誘導溝を備え、該誘導溝の底部に、上糸を係止する前記係止部材と、上糸を切断する前記切断部材とを有することを特徴とする請求項１記載のミシンの糸通し装置。
【発明の詳細な説明】
【技術分野】
【０００１】
本発明は、糸通し作業を実行した後に、再度糸が針穴から抜け落ちることを未然に防止するミシンの糸通し装置に関する。
【背景技術】
【０００２】
従来、ミシンを用いて被縫製物である加工布に縫目を形成する縫製作業に当たり、縫針の針穴に簡単に糸通しすることが可能な糸通し装置を装備したミシンが実用に供されている（特許文献１参照）。例えば特許文献１では、操作者が糸通しレバーを下降させた場合、糸通し軸とスライダーガイド軸とが下降し、糸通し軸の上端部の摺動ピンが針棒側の係止部に当接した段階でこれら糸通し軸とスライダーガイド軸との高さ位置が規制される。その後さらに糸通しレバーを下降させた場合、摺動ピンを備えた糸通し軸が、摺動ピンを含むカム機構により所定角度だけ回動して、糸通し軸の下端部に付設のフックを針穴に挿通させた後、糸通しが実行される。
【０００３】
図１は、従来のミシンの糸通し作業を模式的に示す部分斜視図である。まず、押下げレバーを下げて、布押さえを最下点まで押下げておき、はずみ車を回して縫針１５を最上点近傍にしておく。その状態で図１（ａ）に示すように、上糸Ａを糸掛け部２０を経由して掛けまわす。次に、図１（ｂ）に示すように、上糸を保持した状態で操作レバー１８を最下点まで押下げる。
【０００４】
そして、図１（ｃ）に示すように、ガイド部２１の間にあるフック状の鉤部１７を針穴１６に挿入する方向へ操作レバー１８を回転させ、鉤部１７を回転させる。その状態で図１（ｄ）に示すように、上糸Ａを鉤部１７に引っ掛けるよう上糸Ａを掛けまわし、図１（ｅ）に示すように、上糸Ａを軽く把持して、正面手前で保持する。
【０００５】
図１（ｆ）に示すように、操作レバー１８を後方から押すことにより糸通しフックが回転し、鉤部１７が針穴１６を通過し、上糸Ａが針穴１６の後方に輪になって通過する。そして、図１（ｇ）に示すように、輪になった上糸Ａを向こう側に引き出すことにより糸通しが完了する。
【特許文献１】実開平０６−０５５５８５号公報
【発明の開示】
【発明が解決しようとする課題】
【０００６】
しかし、特許文献１に示す糸通し装置では、図１（ｆ）までは確実に糸通し作業を行うことができるものの、図１（ｅ）に示すように、操作者が上糸Ａを軽く把持して、正面手前で保持していることから、通過した時点で強く上糸Ａを引張りすぎ、せっかく通過した上糸Ａを再度引き抜いてしまうおそれがあった。したがって、確実に糸通し作業を行うためには、操作者に作業に対する熟練を要求するという問題点があった。
【０００７】
本発明は斯かる事情に鑑みてなされたものであり、操作者に特に作業に対する熟練性を要求することなく、糸通し作業の実行後に再度糸が抜け出すおそれが少ないミシンの糸通し装置を提供することを目的とする。
【課題を解決するための手段】
【０００８】
上記目的を達成するために第１発明に係るミシンの糸通し装置は、支持している縫針を上下に移動させる針棒に近接し、上下に移動することが可能であり、しかも軸を中心として回転することが可能に支持されている糸通し軸と、縫針の針穴に挿通することが可能な鉤部と、該鉤部を針穴に誘導するガイド部とを有し、前記糸通し軸を上下方向に移動及び該糸通し軸中心に回転させることが可能な操作体と一体として、前記糸通し軸の下端部に回転可能に装着された糸通しフックと、前記糸通し軸の下降限界位置を規制する規制機構と、前記糸通し軸の下降限界点近傍で前記鉤部が縫針の針穴に挿通するよう前記ガイド部を所定角度回動させる回動機構とを備えるミシンの糸通し装置において、前記操作体により前記糸通し軸を下降限界点近傍まで押下げ、該操作体を回転させることにより前記鉤部を縫針の針穴に挿通させた状態で、前記鉤部に引っ掛けた上糸を、前記鉤部よりも高い位置で所定の張力がかかるまで保持させる係止部材と、不要な上糸を切断することが可能な切断部材とを有する上糸係止部を備え、該上糸係止部は、前記縫針の針穴の位置よりも、被縫製物を挿入する方向と反対側であって、被縫製物を押さえる布押さえを押下げる押下げレバーに設けてあることを特徴とする。
【０００９】
第１発明では、支持している縫針を上下に移動させる針棒に近接する位置にて、上下に移動することが可能であり、しかも軸を中心として回転することが可能に支持されている糸通し軸を１本備えている。糸通し軸の下端部には、縫針の針穴に挿通することが可能な鉤部と、該鉤部を針穴に誘導するガイド部とを有し、糸通し軸を上下方向に移動及び該糸通し軸中心に回転させることが可能な操作体と一体となった糸通しフックが、糸通し軸の下端部に装着されている。回動機構は、糸通し軸の下降限界点近傍で鉤部が縫針の針穴に挿通するよう糸通しフックを所定角度回動させる。操作者は、レバー等の操作体を介して、糸通し軸を下降限界点近傍まで押下げ、該操作体を回転させることにより、鉤部を縫針の針穴に挿通させる。鉤部よりも高い位置にて上糸係止部を設け、鉤部に引っ掛けた上糸に所定の張力が付与された状態で上糸係止部まで引き回しし、上糸係止部へ係止させた状態で不要な上糸を切断する。作業の煩雑さを避けるために、上糸係止部は、縫針の針穴の位置よりも、被縫製物を挿入する方向と反対側であって、被縫製物を押さえる布押さえを押下げる押下げレバーに設けてある。
【００１０】
これにより、縫針の針穴の位置よりも、被縫製物を挿入する方向と反対側に設けることにより、手前側方向ではなく反対側方向の張力を上糸に付与することができ、鉤部に引っ掛けてある上糸に対して指で必要な張力を付与し続ける必要がないので、上糸の糸通し後に誤って上糸を引き出すおそれがない。また、上糸係止部を押下げレバーに設けることにより、別途上糸係止部を設けるための配置設計を行う必要がなく、確実に鉤部よりも高い位置で、しかも手前側方向ではなく反対側方向の張力を上糸に付与することができるので、操作者に特に作業の熟練性を要求することなく、確実に糸通し作業を行うことが可能となる。
【００１５】
また、第２発明に係るミシンの糸通し装置は、第１発明において、前記上糸係止部は、上糸を誘導する誘導溝を備え、該誘導溝の底部に、上糸を係止する前記係止部材と、上糸を切断する前記切断部材とを有することを特徴とする。
【００１６】
第２発明では、上糸係止部は、上糸を誘導する誘導溝を備え、該誘導溝の底部に、上糸を係止する係止部材と、上糸を切断する切断部材とを有する。係止部材により、鉤部に引っ掛けた上糸を所定の張力がかかるまで保持することができ、切断部材により、不要な上糸を切断することが可能となる。
【発明の効果】
【００１７】
第１発明によれば、縫針の針穴の位置よりも、被縫製物を挿入する方向と反対側に設けることにより、手前側方向ではなく反対側方向の張力を上糸に付与することができ、鉤部に引っ掛けてある上糸に対して指で必要な張力を付与し続ける必要がないので、上糸の糸通し後に誤って上糸を引き出すおそれがない。また、上糸係止部を押下げレバーに設けることにより、別途上糸係止部を設けるための配置設計を行う必要がなく、確実に鉤部よりも高い位置で、しかも手前側方向ではなく反対側方向の張力を上糸に付与することができるので、操作者に特に作業の熟練性を要求することなく、確実に糸通し作業を行うことが可能となる。
【００２０】
第２発明によれば、係止部材により、鉤部に引っ掛けた上糸を所定の張力がかかるまで保持することができ、切断部材により、不要な上糸を切断することが可能となる。
【発明を実施するための最良の形態】
【００２１】
以下に、本発明をその実施の形態を示す図面に基づいて説明する。以下の説明では、ミシンを操作する操作者から視た前後左右を前後左右として説明する。図２は、本発明の実施の形態に係るミシンのアーム部の構成を示す針棒を含む左右方向の面での断面図であり、図３は、本発明の実施の形態に係るミシンの糸通し装置の装着状態を示す針棒を含む左右方向の面での断面図である。図２に示すように、本実施の形態に係るミシンのアーム部は、上端を支点として左右に振られる軸支持部１(図３参照)に、針棒２と、縫針１５に近接して配置されている糸通し軸３とが装着されている。
【００２２】
図３に示すように、針棒２は、針棒抱き４で図示しない主軸とクランク及びロッドを介して連結され、主軸の回動によって上下動するようになっている。針棒抱き４の直上には、位置決め部材である位置決めブロック５が固着されている。図４は、本発明の実施の形態に係るミシンの図３のIV−IV断面図である。図４に示すように、位置決めブロック５には糸通し軸３と対向する側の下部に、側方にせり出す受け棚６を有すると共に、受け棚６上方の上部中央に側方に向かって若干彎曲状にせり出し、受け棚６との間に後述するピンが嵌合しうる溝７を形成する張出部８を有している。また、ガイドブロック１１には、糸通し軸３の下降により受け棚６に当接することが可能な突起部２３を設けてある。
【００２３】
図３に戻って、糸通し軸３はバネ１０によって常に引上げられるように付勢されており、上部には軸支持部１に形成される縦溝（図示せず）に嵌合することにより回転止めされ、該縦溝に案内されて上下動するガイドブロック１１が装着されている。ガイドブロック１１には、糸通し軸３上部に糸通し軸３と直交して貫通されるピン１２の一端側が嵌合する水平溝２４と、ピン１２が回転することを防止する突出部２５とで構成されている案内部１３が設けてある。
【００２４】
そして、糸通し軸３には、上端をピン１２に、下端をガイドブロック１１に、それぞれ係合させたコイルバネ１４が装着されており、コイルバネ１４の作用によりガイドブロック１１を押下げ、案内部１３の突出部２５がピン１２に接触する状態、すなわち糸通し軸３が回転しない状態となっている。
【００２５】
糸通し軸３の下端には、縫針１５の針穴１６に挿通可能な鉤部１７と、糸通し軸３の押下げ及び回動を行うための操作体である操作レバー１８とを有する糸通しフック３０が装着されている。図５は、本発明の実施の形態に係るミシンの図３のＶ−Ｖ断面図である。図５に示すように、糸通しフック３０は、操作レバー１８を回転させることによりガイド部２１も回転し、ガイド部２１の先端に装着されている鉤部１７を縫針１５の針穴１６の方向へ回転移動させる。
【００２６】
図３に戻って、糸通し軸３の中間部には、縫針１５への糸通しが縫針１５の上死点の近傍で行われるようにするため、糸通し軸３の一定量以上の降下を阻止する規制機構としてストッパー１９が設けられている。ストッパー１９は、軸支持部１下端の側方に突出する支承部２６に上方より係合するようになっており、上死点の近傍では、ストッパー１９が支承部２６の上方数ｍｍの位置になるようにしてある。ストッパー１９がこの位置から支承部２６に接触するまでの間、鉤部１７の高さが縫針１５の針穴１６へ挿入することが可能な高さとなっている。
【００２７】
本実施の形態では、図２に示すように、布押さえを押下げる押下げレバー３２に、上糸を係止し、余分な上糸を切断することができる上糸係止部３３を設けてある。図６は、本発明の実施の形態に係る押下げレバー３２の構成を示す正面図である。図６に示すように、押下げレバー３２に設けてある上糸係止部３３は、上糸を掛ける場合に上糸を下方へ誘導するよう、斜め下方に延伸する誘導溝３３１を有している。誘導溝３３１の底部には、上糸を係止する係止部材としてコイル状のバネ部材３３２、及び上糸を切断する切断部材としてカッター刃３３３を備えている。
【００２８】
糸通し作業の実行前には、糸通し軸３は図３に示すようにバネ１０の作用により引上げられており、ストッパー１９は軸支持部１下方の支承部２６とは接触していない。そして、ピン１２の高さは、案内部１３の突出部２５に接触する高さとなっており、糸通し軸３が回転しないようになっている。これにより、鉤部１７が不用意に回動し、縫針１５等に当接することによって破損することを未然に防止することができる。
【００２９】
糸通し作業を実行する場合、縫針１５を上死点近傍に位置させておき、操作レバー１８をバネ１０の作用に抗して押下げる。これにより、まずガイドブロック１１の突起部２３が位置決めブロック５の受け棚６に当接して停止し、コイルバネ１４に抗してさらに押下げることにより、ピン１２の一端側が受け棚６に当接する。この状態でピン１２は水平溝２４に嵌合可能な状態となることから、糸通し軸３が回転可能な状態となり、操作レバー１８を回転させることにより糸通しフック３０の鉤部１７を縫針１５の針穴１６の方向へ回転移動させることができる。
【００３０】
なお、糸通し軸３は、ストッパー１９が軸支持部１下方の支承部２６と接触するまで下降するが、接触する位置より下方には降下することができない。そして、ストッパー１９が支承部２６と接触した状態では、糸通し軸３のピン１２は、案内部１３の突出部２５と接触する状態、すなわち糸通し軸３が回転しない状態となっている。したがって、糸通しフック３０は回転することが無く、鉤部１７が押さえ金等に接触することにより破損するのを未然に防止することができる。
【００３１】
ここからの作業は、糸通し作業を説明する図１（ａ）から図１（ｄ）までと同様であることから、詳細な説明は省略する。すなわち、押下げレバー３２を下げて、布押さえを最下点まで押下げておき、はずみ車を回して縫針１５を上死点近傍にしておく。その状態で図１（ａ）から図１（ｄ）に示す作業を実行する。
【００３２】
図７は、本発明の実施の形態に係るミシンの糸通し装置を用いた糸通し作業を模式的に示す部分斜視図である。図７（ａ）は図１（ｅ）に相当し、図７（ａ）に示すように、上糸Ａを軽く把持した状態で、上糸Ａを上方から鉤部１７に引っ掛けた状態を維持しつつ回転させ、図７（ｂ）に示すように押下げレバー３２に設けた上糸係止部３３に引っ掛ける。上糸係止部３３の誘導溝３３１に沿って上糸Ａは誘導溝３３１の底部へ誘導され、バネ部材３３２に挟まれることにより固定される。また、余った上糸Ｂは、さらに上糸Ａを誘導溝３３１の底部まで押下げることにより、底部に備えてあるカッター刃３３３により切断される。
【００３３】
図７（ｂ）に示す状態から余分な上糸Ｂを切断した場合、従来操作者が指で支持して上糸に付与していた張力と同様の張力を付与した状態で上糸Ａを固定することができる。この状態で、操作レバー１８を上から見て反時計方向に回動操作した場合、糸通しフック３０の鉤部１７が糸を引掛けたまま縫針１５の針穴１６を通過し、糸通しが実行される。鉤部１７により糸が引張られることにより、バネ部材３３２から上糸が開放され、上糸は確実に縫針１５の針穴１６を通過する。その後、操作レバー１８を解放した場合、バネ１０の作用により糸通し軸３がガイドブロック１１と共に上昇し、初期位置まで戻される。
【００３４】
このように糸通し作業を実行することにより、操作者は、糸通し作業の実行中に上糸を保持しておく必要が無く、上糸に適度な張力を付与した状態を維持したまま糸通し作業を実行することができる。したがって、操作者に何ら技能的な熟練性を要求することなく、確実な糸通し作業を実行することができる糸通し装置を提供することができる。
【００３５】
なお、上述した実施の形態では、上糸係止部３３を押下げレバー３２に設けているが、特に押下げレバー３２に設けることに限定されるものではなく、鉤部１７よりも高い位置で所定の張力を上糸に付与することができる位置であればどこでも良い。図８は、鉤部１７と上糸係止部３３との位置関係を示す模式図である。
【００３６】
図８に示すように鉤部１７に引っ掛けられた上糸Ａは、水平方向に対して上方に所定の角度αをなす位置に設けられた上糸係止部３３にて支持される。図８の例では、上糸係止部３３は、縫針１５の針穴１６の位置よりも、被縫製物を挿入する方向と反対側に設けてある場合を示している。
【００３７】
上糸係止部３３を設けることができさえすれば、被縫製物を挿入する方向と反対側に設けることに限定されるものではなく、従来と同様、被縫製物を挿入する方向、すなわち手前側に上糸係止部３３を設けても良いことは言うまでもない。
【００３８】
以上のように本実施の形態によれば、鉤部に引っ掛けてある上糸に対して指で必要な張力を付与し続ける必要が無く、鉤部が針穴から抜け出すのに従って確実に糸通しすることができるとともに、糸通しした上糸を誤って引き出すことがない。したがって、操作者に特に作業の熟練性を要求することなく、確実に糸通し作業を行うことが可能となる。
【００３９】
その他、本発明の趣旨を逸脱しない範囲において上記実施の形態に種々の変更を付加した形態で実施することが可能である。
【図面の簡単な説明】
【００４０】
【図１】従来のミシンの糸通し作業を模式的に示す部分斜視図である。
【図２】本発明の実施の形態に係るミシンのアーム部の構成を示す針棒を含む左右方向の面での断面図である。
【図３】本発明の実施の形態に係るミシンの糸通し装置の装着状態を示す針棒を含む左右方向の面での断面図である。
【図４】本発明の実施の形態に係るミシンの図３のIV−IV断面図である。
【図５】本発明の実施の形態に係るミシンの図３のＶ−Ｖ断面図である。
【図６】本発明の実施の形態に係る押下げレバーの構成を示す正面図である。
【図７】本発明の実施の形態に係るミシンの糸通し装置を用いた糸通し作業を模式的に示す部分斜視図である。
【図８】鉤部と上糸係止部との位置関係を示す模式図である。
【符号の説明】
【００４１】
１  軸支持部
２  針棒
３  糸通し軸（回動機構）
１５  縫針
１６  針穴
１７  鉤部
１８  操作レバー（操作体）
１９  ストッパー（規制機構）
２１  ガイド部
３０  糸通しフック
３２  押下げレバー
３３  上糸係止部
３３１  誘導溝
３３２  バネ部材（係止部材）
３３３  カッター刃（切断部材）
【図１】
0005053824.tif 000002
【図２】
0005053824.tif 000003
【図３】
0005053824.tif 000004
【図４】
0005053824.tif 000005
【図５】
0005053824.tif 000006
【図６】
0005053824.tif 000007
【図７】
0005053824.tif 000008
【図８】
0005053824.tif 000009